(57)【要約】【課題】  可撓性を有する広巾帯状のシート状本体２における長手方向の両端部に耳掛け用穴３，３が形成されたアイマスク１において、単一サイズのものであっても、大人から子供までの様々な人の顔巾に対応させることができるようにして、ユーザにとっての使い勝手をよくする。【解決手段】  本発明のアイマスク１は、シート状本体２の上辺部２ａのうち両耳掛け用穴３，３の間の中途部を着脱可能に挟持する発泡樹脂材製のクリップ体４を備える。このクリップ体４の前記中途部に対する挟持位置を変更することにより、上辺部２のうち人の一方の側頭部Ｔから額Ｆを経て他方の側頭部Ｔに至るまでの領域に当接する部位の長さを調節可能とし、且つ眉部から下方の顔面にシート状本体２が触れないようにする。【特許請求の範囲】
【請求項１】
可撓性を有する広巾帯状のシート状本体における長手方向の両端部に耳掛け用穴が形成されたアイマスクであって、
前記シート状本体の上辺部のうち前記両耳掛け用穴の間の中途部を着脱可能に挟持する挟持手段を備え、
当該挟持手段の前記中途部に対する挟持位置を変更することにより、前記上辺部のうち人の一方の側頭部から額を経て他方の側頭部に至るまでの領域に当接する部位の長さを調節可能としたことを特徴とするアイマスク。
【請求項２】
前記挟持手段は、前記中途部を摘むようにして挟み付けるための一対の挟持片を有する弾性材製のクリップ体であることを特徴とする請求項１に記載のアイマスク。
【請求項３】
前記シート状本体及び前記挟持手段は、いずれも発泡樹脂材製であることを特徴とする請求項１又は２に記載のアイマスク。
【請求項４】
可撓性を有する広巾帯状のシート状本体における長手方向の両端部に耳掛け用穴が形成されたアイマスクであって、
前記シート状本体の上辺部のうち前記両耳掛け用穴の間の中途部を折曲状態で連結する連結手段を備え、
この連結手段は、伸縮可能な弾性体にて構成され、その伸縮量により前記上辺部のうち人の一方の側頭部から額の下部を経て他方の側頭部に至るまでの領域に当接する部位の長さを調節可能としたことを特徴とするアイマスク。
【発明の詳細な説明】
【技術分野】
【０００１】
本発明は、人の両眼及び顔面を覆うためのアイマスクに関するものである。
【背景技術】
【０００２】
従来、車中や飛行機内等での安眠用のアイマスクとして、伸縮性を有する広巾帯状のシート状本体における長手方向の両端部に耳掛け用穴を形成したもの、すなわち、両眼を覆う本体部と耳に掛ける耳掛け部とを一体化したものが知られている（例えば、特許文献１及び特許文献２等参照）。【０００３】
この場合、アイマスクを製造するには、シート状本体を所定形状に形成すると共に、当該シート状本体の長手方向両端部に穴を空ければよく、能率的に且つ低コストで量産できるという利点があった。
【特許文献１】特開平８−２０６１５０号公報（図２参照）
【特許文献２】実開平６−２６８３１号公報（図１及び図２参照）
【発明の開示】
【発明が解決しようとする課題】
【０００４】
しかし、前記従来のアイマスクは、装着時にシート状本体自体の伸縮量によって顔面にフィットさせるものであったため、シート状本体を使用者の顔巾に合わせて伸ばすことには対応し易いが、当該シート状本体を元々の横方向長さ（長手方向の長さ）よりも縮める（短くする）ことはできなかった。【０００５】
従って、前記従来の構成では、ある一つのサイズのアイマスクを、大人から子供までの様々な人の顔巾に対応させることができないので、一サイズのアイマスクに対する需要者の範囲が限られ、販売に際しては、様々なサイズのアイマスクを用意しなければならないという問題があった。【０００６】
また、前記従来の安眠用アイマスクでは、両眼の外周等の顔面の広い範囲にシート状本体がぴったりと当接していたため、違和感や圧迫感があって、安眠が妨げられるという問題があった。【０００７】
そこで、本発明は、このような問題を解消したアイマスクを提供することを技術的課題とするものである。
【課題を解決するための手段】
【０００８】
この技術的課題を達成するため、請求項１の発明は、可撓性を有する広巾帯状のシート状本体における長手方向の両端部に耳掛け用穴が形成されたアイマスクであって、前記シート状本体の上辺部のうち前記両耳掛け用穴の間の中途部を着脱可能に挟持する挟持手段を備え、当該挟持手段の前記中途部に対する挟持位置を変更することにより、前記上辺部のうち人の一方の側頭部から額を経て他方の側頭部に至るまでの領域に当接する部位の長さを調節可能としたというものである。【０００９】
請求項２に記載の発明は、請求項１に記載のアイマスクにおいて、前記挟持手段は、前記中途部を摘むようにして挟み付けるための一対の挟持片を有する弾性材製のクリップ体であるというものである。【００１０】
請求項３に記載の発明は、請求項１又は２に記載のアイマスクにおいて、前記シート状本体及び前記挟持手段は、いずれも発泡樹脂材製であるというものである。【００１１】
請求項４に記載の発明は、可撓性を有する広巾帯状のシート状本体における長手方向の両端部に耳掛け用穴が形成されたアイマスクであって、前記シート状本体の上辺部のうち前記両耳掛け用穴の間の中途部を折曲状態で連結する連結手段を備え、この連結手段は、伸縮可能な弾性体にて構成され、その伸縮量により前記上辺部のうち人の一方の側頭部から額の下部を経て他方の側頭部に至るまでの領域に当接する部位の長さを調節可能としたものである。
【発明の効果】
【００１２】
請求項１に記載の発明によれば、アイマスクを顔面に装着するに際しては、シート状本体の各耳掛け用穴に耳を挿入して、両眼を覆うように前記シート状本体を装着する。次いで、前記シート状本体における上辺部の中途部を指で摘み上げ、前記上辺部が人の一方の側頭部から額のうちの眉の上辺近傍を経て他方の側頭部に至るまでの領域にぴったりと当接するように、摘み上げた部分の重なり長さを適宜調節する。そして、当該摘み上げた部分（重なり合った部分）の付け根側（額に近い側）を挟持手段で挟み付けて固定するのである。【００１３】
この場合、前記摘み上げた部分の重なり長さを適宜調節して、この重なり長さに対応させて前記挟持手段での挟持位置を変更することにより、前記上辺部のうち人の一方の耳及び側頭部から額を経て他方の側頭部（耳）に至るまでの領域に当接する部位の長さが至極簡単に調節することができるのである。【００１４】
従って、前記シート状本体の前記上辺部を、各人の顔巾や形状の違いに合わせて、額及びその周辺部にぴったりとフィットさせることができるから、単一サイズのアイマスクであっても、大人から子供までの様々な人の顔巾に応じて装着することができ、ユーザにとっては使い勝手がよく、メーカにとっては多種類を製造する必要がなくて製造コストを抑制できるという効果を奏する。【００１５】
また、前記シート状本体における前記上辺部の前記中途部が前記挟持手段で挟み固定されることから、前記シート状本体と顔面とが当接する領域は額及びその周辺部（耳部まで）に限られることになる。これにより、アイマスクを長時間装着していたとしても、圧迫感や窮屈感等の違和感を受けることが少ないばかりか、顔面に装着跡が付いたりすることがないという効果を奏する。【００１６】
さらに、シート状本体の前記上辺部から下辺部までの上下寸法を大きくして、着用した人の口よりも下方まで覆うように形成すると、寝ている人の寝顔の全体が他の人から見えず、安心して熟睡できるという効果も奏する。【００１７】
請求項２の発明に従えば、前記中途部を摘むようにして挟み付けるための一対の挟持片を有する弾性材製のクリップ体を、前記挟持手段として採用することにより、簡単な構成でありながら、前記シート状本体における上辺部側の前記摘み上げた部分を、弾性に抗して確実に挟持することができるから、前記上辺部の長さ調節を至極簡単に行えるという効果を奏する。【００１８】
請求項３の発明によれば、前記シート状本体及び前記挟持手段がいずれも発泡樹脂材製であるから、アイマスク全体を軽量化することができ、装着感の向上に寄与できるという効果を奏する。【００１９】
請求項４の発明では、可撓性を有する広巾帯状のシート状本体における長手方向の両端部に耳掛け用穴が形成されたアイマスクであって、前記シート状本体の上辺部のうち前記両耳掛け用穴の間の中途部を折曲状態で連結する連結手段を備え、この連結手段は、伸縮可能な弾性体にて構成され、その伸縮量により前記上辺部のうち人の一方の側頭部から額の下部を経て他方の側頭部に至るまでの領域に当接する部位の長さを調節可能としたものであるから、使用者は前記連結手段の位置調節を実行することなく、直ちに使用することができる。尚、シート状本体の上辺部の長さが大中小程度のものを準備しておけば、顔の大きさに応じて、最適のアイマスクを選択することができる。
【図面の簡単な説明】
【００２０】
【図１】第１実施形態のアイマスクの概略図である。
【図２】（ａ）はシート状本体の平面図、（ｂ）は挟持手段の平面図である。
【図３】使用状態を示す正面図である。
【図４】使用状態を示す側面図である。
【図５】図３のＶ−Ｖ視側断面図である。
【図６】シート状本体と顔面との当接領域を示す側面図である。
【図７】第２実施形態の挟持手段を示す使用状態の正面図である。
【図８】第３実施形態を示す使用状態の斜視図である。
【符号の説明】
【００２１】
１  アイマスク
２  シート状本体
２ａ  上辺部
２ｅ  重なり部
３  耳掛け用穴
４  挟持手段としてのクリップ体
５，５  挟持片
６  合わせ面
７，７  挟持手段としてのマグネット体
８  紐状体
Ｂ  眉
Ｅ  耳
Ｆ  額
Ｌ  仮想線
Ｍ  口
Ｎ  鼻
Ｔ  側頭部
Ｗ  横方向長さ
ＷＢ  重なり長さ
Ｙ  眼
【発明を実施するための最良の形態】
【００２２】
以下に、本発明を具体化した実施形態を図面（図１〜図８）に基づいて説明する。図１は第１実施形態のアイマスクの概略図、図２のうち（ａ）はシート状本体の平面図、（ｂ）は挟持手段の平面図、図３は使用状態を示す正面図、図４は使用状態を示す側面図、図５は図３のＶ−Ｖ視側断面図、図６はシート状本体と顔面との当接領域を示す側面図、図７は第２実施形態の挟持手段を示す使用状態の正面図、図８は第３実施形態を示す使用状態の斜視図である。【００２３】
図１〜図６は本発明を適用したアイマスクの第１実施形態である。【００２４】
第１実施形態のアイマスク１は、広巾帯状のシート状本体２と、一対の挟持片５，５を有する略Ｃ字型のクリップ体４とを備えている。シート状本体２及びクリップ体４はいずれも、可撓性（弾性）を有する合成樹脂材からなり、例えば、発泡ポリウレタンや発泡ポリ塩化ビニル等のような適当な腰の強さを有する発泡樹脂材を素材とし、シート状本体２は遮光性を備えていることが必要である。【００２５】
シート状本体２は、装着時に人の額Ｆの上側に位置する上辺部２ａが長辺で、人の鼻先Ｎや口Ｍ側に位置する下辺部２ｂが短辺となる台形状に近い平面視形状に形成されている（図２（ａ）参照）。シート状本体２における四箇所のコーナ部２ｄ１及び２ｄ２は、面取りされて丸みを帯びている。【００２６】
シート状本体２の横方向長さＷ（上下辺縁と平行な長手方向の長さ）は、成人の平均頭囲の３分の２よりも長い長さに設定されている。ここで、頭囲の３分の２程度の長さとは、大まかに言って、人の一方の側頭部Ｔ（耳Ｅの上付近）から額Ｆのうちの眉間部を経て他方の側頭部Ｔ（耳Ｅの上付近）までの長さに相当する。シート状本体２の厚みは、装着時に両眼Ｙ，Ｙ及びその周辺に光を通さない（光が貫通しない）程度の十分な厚みに設定されている。【００２７】
シート状本体２の左右長手方向の両端部には、左右の上コーナ部２ｄ１，２ｄ１（上辺部２ａと左右の斜辺部２ｃ，２ｃとが交差する部位）寄りの対称位置に、斜辺部２ｃ方向に沿って長い長円形状（小判型）の耳掛け用穴３，３が形成されている。従って、シート状本体３は、平面視で左右両耳掛け用穴３，３の間の仮想線Ｌ（図２（ａ）の一点鎖線参照）に挟んで左右対称形状に形成されている。【００２８】
シート状本体２のサイズ調節手段としてのクリップ体４は、発泡樹脂材製の円盤状部材に、その外周一側面から半径中心方向に向けて延びる切り目を入れることにより、略Ｃ字状に形成されたものである。当該切り目の両側に位置する部位が一対の挟持片５，５となる。一対の挟持片５，５を閉じたときの合わせ面６（切れ目部分）は、シート状本体２の上辺部２ａを挟持するものである。クリップ体４は特許請求の範囲に記載した挟持手段に相当する。【００２９】
次に、図３〜図５を参照しながら、アイマスク１を顔面に装着する態様の一例について説明する。【００３０】
まず、シート状本体２の各耳掛け用穴３に、これに対応する耳Ｅを挿入して、両眼Ｙ，Ｙを覆うようにシート状本体２を引っ掛け装着する。このとき、シート状本体２の横方向長さＷは人の一方の側頭部Ｔから額Ｆを経て他方の側頭部Ｔまでの長さよりも十分に長いことから、シート状本体２は顔面に密着しないで弛んだ状態となる。【００３１】
次いで、シート状本体２における上辺部２ａの中央付近を二つ折り状に折り曲げるように指で摘み、上辺部２ａが人の一方の側頭部Ｔから額Ｆの下部（眉部の上側）を経て他方の側頭部Ｔに至るまでの領域にぴったりと当接するように、摘み上げた重なり部２ｅを作る。そして、クリップ体４における一対の挟持片５，５で、重なり部２ｅの付け根側（額Ｆに近い側）を左右両側から挟み付けて固定するのである。【００３２】
この場合、摘み上げた重なり部２ｅの重なり長さＷＢ（図４参照）を適宜調節して、この重なり長さＷＢに対応させてクリップ体４での挟持位置を変更することにより、上辺部２ａのうち人の一方の側頭部Ｔから額Ｆの下部（眉部の上側）を経て他方の側頭部Ｔに至るまでの領域に当接する部位の長さを無段階的に調節することができるので、シート状本体２の上辺部２ａを、各人の顔巾や形状の違いに合わせて、額Ｆの下部（眉部の上側）及びその周辺部（図６の斜線部分参照）にぴったりとフィットさせる（沿わせる）ことができる。特に、第１実施形態では、シート状本体２が可撓性を有する発泡樹脂材製であるから、前記重なり部２ｅを屈曲させ易く、また、上辺部２ａを額Ｆの下部（眉部の上側）及びその周辺部にフィットさせ易い。【００３３】
このようにして、単一サイズのアイマスク１であっても、大人から子供までの様々な人の顔乃至前頭部の横長さに対応させてアイマスク１の装着長さを調節することができ、シート状本体２を顔面からずれ落ちたりせずに適度な張り具合で装着することができるから、ユーザにとっては使い勝手がよく、メーカにとっては多種類（多数サイズ）を製造する必要がないので製造コストを抑制することができる。【００３４】
第１実施形態のように、発泡樹脂材製の円盤状部材にその外周一側面から半径中心方向に向けて延びる切り目を入れてなるクリップ体４を、挟持手段として採用すると、簡単な構成でありながら、シート状本体２における上辺部２側の重なり部２ｅを、弾性に抗して確実に挟持することができ、上辺部２ａの長さ調節を至極簡単に行えるのである。【００３５】
また、シート状本体２における上辺部２ａの中央付近をクリップ体４で挟み固定することにより、シート状本体２と顔面との当接領域Ａ（図６の斜線部分参照）は額Ｆのうちの下部（眉部の上側）及びその周辺部に限られることと、シート状本体２が可撓性を有し、且つ適度に腰の強さのある扁平部材であることとが相俟って、アイマスク１を長時間装着していたとしても、圧迫感や窮屈感等の違和感を受けることが少ないばかりか、顔面に装着跡が付いたりすることがない。【００３６】
特に、第１実施形態では、シート状本体２だけでなく、クリップ体４についても発泡樹脂材製のものを採用したので、アイマスク１全体を軽量化することができ、装着感の向上に寄与することができる。【００３７】
しかも、シート状本体２もクリップ体４も発泡樹脂材製であることにより柔軟性（可撓性）に富むから、破れにくいばかりか、丸めてポケット等に収納しても嵩張らないし、ポケット等から取り出せば自らの弾性復原力で元の形状に戻る。従って、アイマスク１の取り扱いは簡単である。また、シート状本体２もクリップ体４も発泡樹脂材製であることで、洗浄も簡単に行えるし、絞れば直ぐに水気が切れて装着可能となる。従って、旅行等に際して携帯するのに非常に便利であるという利点を有する。なお、両者２，４とも発泡樹脂材製であることは、製造コストの抑制にも寄与することになる。【００３８】
一方、シート状本体２は装着時に自らの弾性復原力で広がり勝手となるので、その上辺部２ａから下辺部２ｂまでの上下寸法を大きくしても、シート状本体２は装着時に顔面のうち眉Ｂよりも下方の領域（例えば、鼻先や、頬部、口許等）には接触せず、当該領域とシート状本体２との間には下向きに開口する空間（スペース）が空くことになる。【００３９】
従って、アイマスク１を装着したまま（顔を隠したまま）でも、視線を落とせば周辺の様子が視界に入らない状態で読書したりすることができるから、例えば飛行機内や電車内等であっても、装着者はプライベートな空間（雰囲気）を確保することができる。そればかりか、女性がアイマスク１を装着した場合に化粧が崩れるおそれもほとんどなくなるのである。【００４０】
図７はシート状本体２のサイズ調節手段としての挟持手段の別例を示す第２実施形態である。この実施形態では、重なり部２ｅの付け根側を摘むようにして挟み付けるために、クリップ体４に代えて、一対のマグネット体７，７で吸着挟持する構成が採用されている。この場合、紛失防止のために、紐状体８の端部をそれぞれマグネット体７，７に接着固定することにより、両マグネット体７，７を紐状体８を介して連結している。その他の構成は第１実施形態と同じである。【００４１】
この第２実施形態の構成によっても、大人から子供までの様々な人の顔巾に応じて、シート状本体２を顔面からずれ落ちたりせずに適度な張り具合で装着することができる。従って、第１実施形態と同様の作用効果が得られるのである。【００４２】
第１及び第２実施形態から明らかなように、本発明に係る挟持手段は、クリップ体４や一対のマグネット体７，７に限定されるものではなく、例えば、一対の弾性挟持片（弾性把持片）、面ファスナー方式やピン止め方式など、様々の方式を採用することが可能である。なお、挟持手段の材質についても、前述の発泡樹脂材製に限らず、挟持強度等の観点から金属製のもの等を適宜選択して差し支えない。要は、シート状本体２の上辺部２ａのうち両耳掛け用穴３，３の間の中途部（摘み上げた重なり部２ｅ）を着脱可能に挟持できるものであればよい。【００４３】
図８は、シート状本体２のサイズ調節手段の第３実施形態を示し、このサイズ調節手段としての連結手段は、シート状本体２の上辺部２ａのうち両耳掛け用穴３，３の間の中途部であって折曲げた重なり部２ｆの適当箇所間を連結する伸縮自在な弾性体であり、ゴム製等の伸縮可能な弾性紐体１０の両端の固定部１１，１１を、前記折曲げた重なり部２ｆの内面に接着剤等にて固着したものである。【００４４】
この実施形態によれば、上辺部２ａの長さが予め大、中、小にした複数種類（サイズ）のシート状本体２を準備しておく。そして、適当なサイズのシート状本体２を使用者が適宜選択することで、上辺部２ａのうち使用する人の一方の側頭部Ｔから額Ｆの下部（眉部の上側）を経て他方の側頭部Ｔに至るまでの領域に当接する部位の長さに応じて、弾性紐体１０が適当量だけ伸縮するので、折曲げた重なり部２ｆの開き寸法（Ｈ１）が可変となり、人の顔巾に応じて、シート状本体２を顔面からずれ落ちたりせずに適度な張り具合で装着することができる。【００４５】
その他本発明は、図示の実施形態以外にも、様々な形態に具体化することができる。例えば、シート状本体は、天然繊維製の織布や合成樹脂製の不織布など、他の構造の素材製でもよい。また、紙製であったり、帯電防止剤を混入したシートを素材としたり、金属イオンを混入した抗菌処理シートを素材としたりしてもよい。シート状本体は、上記の形態以外にも、略矩形状や楕円形状（長円形状）等のような様々な平面視形状に具体化できるし、その縦横長さ寸法も自由に設定して構わない。シート状本体の厚さや色彩等は要求される特性に応じて適宜選択することができる。
【図１】
2006001066.tif 000002
【図２】
2006001066.tif 000003
【図３】
2006001066.tif 000004
【図４】
2006001066.tif 000005
【図５】
2006001066.tif 000006
【図６】
2006001066.tif 000007
【図７】
2006001066.tif 000008
【図８】
2006001066.tif 000009
【国際調査報告】
2006001066.tif 000010
2006001066.tif 000011
2006001066.tif 000012
2006001066.tif 000013